(57)【要約】      （修正有）【課題】雄コネクタと雌コネクタとを繰り返し差し込んだり引き抜いたりすることによって係合が弱くなるため、雄コネクタが雌コネクタから容易に離れないクイックロックコネクタアセンブリを提供する。【解決手段】クイックロックコネクタアセンブリは、雌コネクタ１と雄コネクタ２とを具備する。雌コネクタ１は、第１絶縁箱体１０と、複数の第１端子２０と、外側ケーシング３０と、ロックレバー４０とを有する。ロックレバー４０は、外側ケーシング３０に枢着され、２つのロックピン４５を有する。雄コネクタ２は、雌コネクタ１と着脱自在に係合し、第２絶縁箱体５０と複数の第２端子６０とを有する。第２絶縁箱体５０は、ロックピン４５と係合する。ロックレバー４５によって雄コネクタ２を雌コネクタ１に迅速にロックすることができる。【選択図】図３
2014216323.tif 000002
【特許請求の範囲】
【請求項１】
雌コネクタと、同雌コネクタに着脱自在に係合される雄コネクタとを具備するクイックロックコネクタアセンブリであって、
前記雌コネクタは、
第１絶縁箱体であって、２つの対向する第１端縁と、２つの対向する第２端縁と、前記第１絶縁箱体の頂部に形成したソケット孔とを有する前記第１絶縁箱体と、
前記ソケット孔に取り付けた複数の第１端子と、
前記第１絶縁箱体に取り付けられ、２つの対向する第１側面と、２つの対向する第２側面とを有する外側ケーシングと、
前記外側ケーシングの前記第１側面及び前記第１絶縁箱体の前記第１端縁を通して枢着され、２つのロックピンを有するロックレバーと、を具備し、  
前記雄コネクタは、
前記第１箱体に形成したソケット孔に着脱自在に取り付けられ、２つの対向する第１側壁と、２つの対向する第２側壁と、前記第１側壁にそれぞれ形成され、前記ロックレバーのロックピンと、それぞれ選択的に係合する２つのロック凹部とを有する第２絶縁箱体と、
前記第２絶縁箱体に取り付けられ、前記第１端子にそれぞれ選択的に接触する複数の第２端子とを具備し、
前記第１絶縁箱体に形成したソケット孔に前記第２絶縁箱体を係合して前記雌コネクタに前記雄コネクタが係合した状態で、前記ロックピンを前記ロック凹部からそれぞれ離脱することによって、前記第２絶縁箱体を前記第１絶縁箱体から自由に分離可能とし、前記ロックピンを前記ロック凹部に係合させることによって、前記第２絶縁箱体が前記第１絶縁箱体から分離するのを防止可能としたことを特徴とするクイックロックコネクタアセンブリ。
【請求項２】
前記ロックレバーが、さらに、
動作部と、
それぞれ前記動作部の２つの端に同端から突出状態に形成し、前記外側ケーシングの前記第１側面をそれぞれ選択的に押圧する２つの位置決め部と、
それぞれ前記位置決め部に同位置決め部から突出状態に形成し、前記外側ケーシングの前記第１側面及び前記第１絶縁箱体の前記第１端縁をそれぞれ通して回転自在に伸延する２つの枢支部と、を有し、  
前記ロックピンを、それぞれ、前記枢支部に同枢支部から突出状態に形成し、
前記第１絶縁箱体に形成したソケット孔に前記第２絶縁箱体を取り付けて前記雌コネクタに前記雄コネクタが係合した状態で、
前記外側ケーシングの前記第１側面から前記ロックレバーの前記位置決め部をそれぞれ分離することによって、それぞれの前記ロックピンを前記ロック凹部から離脱して前記第２絶縁箱体を前記第１絶縁箱体から自由に分離可能とし、前記外側ケーシングの前記第１側面に前記位置決め部を押圧することによって、それぞれの前記ロックピンを前記ロック凹部に係合させ、前記第２絶縁箱体を前記第１絶縁箱体から分離不可能としたことを特徴とする請求項１記載のクイックロックコネクタアセンブリ。
【請求項３】
前記ロックレバーの前記ロックピンは、前記第１絶縁箱体に形成した前記ソケット孔内に位置していることを特徴とする請求項２記載のクイックロックコネクタアセンブリ。
【請求項４】
前記第２絶縁箱体は、さらに、前記第２絶縁箱体と前記第１側壁をそれぞれ通して垂直に形成される２つの貫通スロットを有し、かつ、各貫通スロットは２つの対向する内壁を有し、
前記ロック凹部は、前記貫通スロットと対応し、各ロック凹部は、対応する貫通スロットの前記内壁の１つに形成され、
ロックピンは、実質的に枢支部に対して直交し、
前記ロックピンを枢軸周りに回転して、実質的に前記貫通スロットと平行にした状態で、前記第２絶縁箱体を垂直に移動することによって、前記ロックピンをそれぞれ前記貫通スロットから離脱可能とし、
前記第２絶縁箱体を前記第１絶縁箱体のソケット孔に取り付けた状態で、前記ロックピンを前記貫通スロットに対して実質的に直交させるとともに、それぞれ、前記ロック凹部と係合させることによって、前記第２絶縁箱体を前記第１絶縁箱体にロックし、前記第２絶縁箱体が前記第１絶縁箱体から分離するのを防止することができるようにしたことを特徴とする請求項３記載のクイックロックコネクタアセンブリ。
【請求項５】
各位置決め部は、Ｖ形状の位置決め頂部を前記枢支部に形成し、前記位置決め頂部を前記外側ケーシングの第１側面の１つに選択的に押圧させるようにしたことを特徴とする請求項４記載のクイックロックコネクタアセンブリ。
【請求項６】
前記第１絶縁箱体はさらに、前記第１端縁に形成された２つの組み立て孔を有し、
前記外側ケーシングは、さらに、前記外側ケーシングの前記第１側面を通してそれぞれ形成された２つの枢支孔を有し、
前記ロックレバーの前記枢支部は、前記外側ケーシングに形成した前記枢支孔及び前記第１絶縁箱体に形成した組み立て孔を通して回転自在にそれぞれ伸延するようにしたことを特徴とする請求項５記載のクイックロックコネクタアセンブリ。
【請求項７】
前記外側ケーシングは、さらに、前記ソケット孔に対応して前記外側ケーシングを通して形成される開口を有することを特徴とする請求項６記載のクイックロックコネクタアセンブリ。
【請求項８】
前記ロックレバーは金属からなることを特徴とする請求項７記載のクイックロックコネクタアセンブリ。
【請求項９】
前記外側ケーシングは金属からなることを特徴とする請求項８記載のクイックロックコネクタアセンブリ。
【発明の詳細な説明】
【技術分野】
【０００１】
本発明は、コネクタに関し、特に雌コネクタと雄コネクタとを具備するクイックロックコネクタアセンブリに関する。雌コネクタは雄コネクタをさらにロックすることができ、雌コネクタが雄コネクタから不用意に分離するのを防止する。
【背景技術】
【０００２】
基板同士を連結するコネクタは、電子装置において広く用いられている部品であり、マザーボードと拡張ボードを連結するために用いられ、これによって、マザーボードは追加的機能を得ることができ、かつ、拡張ボードのメンテナンスと交換とが容易になる。
【０００３】
基板同士を連結する従来のコネクタは、雄コネクタと、同雄コネクタに連結される雌コネクタのように一対のコネクタからなる。雄コネクタと雌コネクタとはそれぞれ異なった配線基板（ＰＣＢ）に取り付けられており、相互に着脱自在に係合されている。
【０００４】
しかし、雄コネクタと雌コネクタとを繰り返し差し込んだり引き抜いたりすることによって、コネクタの材料が疲労したり、コネクタが変形し、雄コネクタと雌コネクタとの係合が弛緩したり、弱くなったりする。その結果、雄コネクタが雌コネクタから容易に離れることになる。しかも、雄コネクタと雌コネクタとの間にはロック機構が設けられていないので、雄コネクタまたは雌コネクタが搭載されているマザーボードを不用意に引っ張った場合、雄コネクタと雌コネクタとが分離することになる。
【０００５】
本発明は上記した問題を解決するためになされたものであり、上記した課題を緩和するまたは避けることができるクイックロックコネクタアセンブリを提供するものである。
【先行技術文献】
【特許文献】
【０００６】
【特許文献１】特開２００７−１２６１４号公報
【発明の概要】
【発明が解決しようとする課題】
【０００７】
本発明の主たる目的は、雌コネクタと雄コネクタとを有するクイックロックコネクタアセンブリを提供することにある。雌コネクタは、雌コネクタが雄コネクタから不用意に分離するのを防止するため、雄コネクタをロックする機能をさらに有する。
本発明に係るクイックロックコネクタアセンブリは、雌コネクタと雄コネクタとを有する。雌コネクタは、第１絶縁箱体と、複数の第１ターミナルと、外側ケーシングと、ロックレバーとを具備する。ロックレバーは、外側ケーシングに枢着されており、２つのロックピンを有する。雄コネクタは着脱自在に雌コネクタに係合され、第２絶縁箱体と複数の第２端子とを具備する。第２絶縁箱体は、ロックピンとそれぞれ選択的に係合する２つのロック凹部とを有する。ロックレバーは、雄コネクタを雌コネクタに、迅速にロックすることができる。
本発明の他の目的、効果及び新規な特徴は、添付図を参照してなされる以下の詳細な説明によって、より明らかとなる。
【図面の簡単な説明】
【０００８】
【図１】本発明に係るクイックロックコネクタアセンブリの斜視図である。
【図２】雄コネクタを雌コネクタにクリップし、ロックするためにロックレバーを枢軸周りに倒伏させた状態における、図１に示すクイックロックコネクタアセンブリの動作を示す斜視図である。
【図３】雄コネクタが雌コネクタから分離した状態における、図１に示すクイックロックコネクタアセンブリの分解斜視図である。
【図４】図３に示すクイックロックコネクタアセンブリの雌コネクタの分解斜視図である。
【図５】図３に示すクイックロックコネクタアセンブリの雄コネクタの一部分解斜視図である。
【図６】雌コネクタの外側ケーシングを省略した状態における図１に示すクイックロックコネクタアセンブリの斜視図である。
【図７】外側ケーシングが省略された状態における図２に示すクイックロックコネクタアセンブリの動作を示す斜視図である。
【図８】図１に示すクイックロックコネクタアセンブリの断面側面図である。
【図９】図２に示すクイックロックコネクタアセンブリの動作を示す断面側面図である。
【発明を実施するための形態】
【実施例１】
【０００９】
図１から図３を参照して説明すると、本発明に係るクイックロックコネクタアセンブリは、雌コネクタ１と雄コネクタ２とを具備する。
図４も参照して説明すると、雌コネクタ１はマザーボードのような配線基板（ＰＣＢ）上に取り付けられており、第１絶縁箱体１０と、複数の第１端子２０と、外側ケーシング３０と、ロックレバー４０とを有する。
第１絶縁箱体１０はプラスティックからなり、２つの対向する第１端縁１１と、２つの対向する第２端縁１２と、ソケット孔１３と、背骨部１４と、２つの組み立て孔１１１とを有する。
ソケット孔１３は、第１絶縁箱体１０の頂部に形成されている。
背骨部１４は、ソケット孔１３内に形成され、かつ、同ソケット孔１３から上方に突出する。
組み立て孔１１１は、それぞれ第１端縁１１に形成されている。
第１ターミナル２０は、ソケット孔１３内に取り付けられている。
外側ケーシング３０は、金属、またはその他の耐摩耗性材料からなり、第１絶縁箱体１０に取り付けられ、２つの対向する第１側面３１と、２つの対向する第２側面３２と、２つの枢支孔３１１と、開口３００とを有する。
枢支孔３１１はそれぞれ、外側ケーシング３０の第１側面３１を通して形成される。
開口３００は、外側ケーシング３０を通して形成され、かつ、ソケット孔１３と対応するので、ソケット孔１３は完全に露出することになる。
ロックレバー４０は、金属または他の耐摩耗性材料からなり、外側ケーシング３０の第１側面３１を通して枢着され、第１絶縁箱体１０の第１端縁１１を通して枢着される。ロックレバー４０は、作動部４１と、２つの位置決め部４２と、２つの枢支部４３と、２つのロックピン４５とを有する。
位置決め部４２は、作動部４１の２つの端に形成され、かつ、それらの端から突出し、かつ、それぞれ選択的に外側箱体３０の第１側面３１を押圧する。各位置決め部４２は、枢支部４３にＶ形状の位置決め頂部４２５を形成しており、同位置決め頂部４２５は、外側ケーシング３０の第１側面３１の一つを選択的に押圧する。
枢支部４３は、位置決め部４２に形成され、かつ、位置決め部４２からそれぞれ突出し、外側ケーシング３０の第１側面３１に設けた枢支孔３１１を通してそれぞれ回転自在に伸延する。さらに、枢支部４３は、第１絶縁箱体１０の第１端縁１１に設けた組み立て孔１１１を通してそれぞれ回転自在に伸延する。
ロックピン４５は、枢支部４３に形成され、かつ、枢支部４３からそれぞれ突出し、実質的に枢支部４３に対して直交し、かつ、第１絶縁箱体１０に形成したソケット孔１３内に位置する。
さらに、ロックレバー４０は可撓性を有することができ、位置決め部４２は、外側ケーシング３０の第１側  面３１に押圧された際、わずかに変形する。
図５を参照してさらに説明すると、雄コネクタ２は、拡張カードやフレキシブル配線基板等の他の配線基板（ＰＣＢ）に取り付けることができ、雌コネクタ１に着脱自在に係合される。雄コネクタには、第２絶縁箱体５０と、複数の第２端子６０とを有する。
第２絶縁箱体５０は、プラスティックからなり、第１絶縁箱体１０に形成したソケット孔１３に着脱自在に取り付けられ、２つの対向する第１側壁５１と、２つの対向する側壁５２と、２つの貫通スロット５１１と、２つのロック凹部５１５とを有する。
貫通スロット５１１は、第２絶縁箱体５０とそれぞれの第１側壁５１とを通して垂直に形成され、各貫通スロット５１１は、２つの対向する内壁５１２を有する。
ロック凹部５１５はそれぞれ、第２絶縁箱体５０の第１側壁５１に形成され、貫通スロット５１１に対応し、それぞれ、ロックレバー４０のロックピン４５に選択的に係合する。各ロック凹部５１５が、対応する貫通スロット５１１の内壁５１２のひとつに形成される。
さらに、第２絶縁箱体５０は、第１絶縁箱体１０の背骨部１４を受けるための取り付け凹部をさらに有する。
第２端子６０は、第２絶縁箱体５０内に取り付けられ、それぞれ選択的に第１端子２０に接触する。
図６と図８を参照してさらに説明すると、ロックレバー４０の位置決め部４２が回転して、それぞれ外側ケーシング３０の第１側面３１から離れると、ロックピン４５はそれぞれロック凹部５１５から離脱し、貫通スロット５１１とそれぞれ平行になる。ここで、雄コネクタ２を垂直に移動すると、具体的には、雄コネクタ２は上方に引っ張ると、第２絶縁箱体５０が、第１絶縁箱体１０から離脱することになり、従って、雄コネクタ２を雌コネクタ１から容易に分離することができる。
図７から図９を参照してさらに説明すると、ロックレバー４０の位置決め部４２が回転してそれぞれ外側ケーシング３０の第１側面３１に押圧させると、ロックピン４５が、それぞれロック凹部５１５と係合し、かつ、それぞれ第２絶縁箱体５０に設けた貫通スロット５１１に対して直交する。その結果、第２絶縁箱体５０は、ロックピン４５によってロックされ、第１絶縁箱体１０に形成したソケット孔１３からの離脱が不可能となり、雄コネクタ２を雌コネクタ１から分離することができなくなる。従って、雄コネクタ２の雌コネクタ１からの不用意な離脱を防止することができる。
クイックロックコネクタアセンブリは、以下の効果を奏する。
１．雌コネクタ１に設けたロックレバー４０を回転して、ロックピン４５をロック凹部５１５に係合させることによって、雄コネクタ２を雌コネクタ１にロックすることができ、雄コネクタ２の雌コネクタ１からの不用意な離脱を防止することができる。
２．外側ケーシング３０と、ロックレバー４０を金属または他の耐摩耗性材料製とすることによって、それらの構造的強度を増加でき、かつ、ロック性能と耐久性を向上することができるのみならず、ロックレバー４０がプラスティック製の第１絶縁箱体１０や、第２絶縁箱体５０に直接接触して、これらの絶縁箱体を磨滅させるのを防止することもできる。
【００１０】
以上、本発明の多くの技術的特徴と効果とを、本発明の構造と機能の詳細と共に説明してきたが、それらの開示は例示にすぎない。それらの詳細、特に、形状寸法及び部品の配置は、添付の特許請求の範囲に記載されている用語の広汎な一般的意味において示される本発明の原理内において変更することができるものである。
【図１】
2014216323.tif 000003
【図２】
2014216323.tif 000004
【図３】
2014216323.tif 000005
【図４】
2014216323.tif 000006
【図５】
2014216323.tif 000007
【図６】
2014216323.tif 000008
【図７】
2014216323.tif 000009
【図８】
2014216323.tif 000010
【図９】
2014216323.tif 000011